(57)【要約】  【課題】表示灯ブロックの接続線とは関係なく外部電線の接続作業を行うことができるスイッチを提供する。  【解決手段】前面開口したボディ１０とボディ１０の前面側に結合されるカバー２０とで構成される器体１内に収納される端子板３１は、外部電線５が弾接する接触片３１ａと、接触片３１ａとの間に外部電線５を挟持する鎖錠片３１ｂと、接触片３１ａと鎖錠片３１ｂとを連結するＬ字状の連結片３１ｃとを備える。接触片３１ａ，３２ａと鎖錠片３１ｂ，３２ｂとで外部電線５を接続する外部電線接続部を構成し、連結片３１ｃにおいてボディ１０内の仕切壁１４に沿って配置される部位の後端部が表示灯ブロック７０の接続線７５の末端側を接続する接続線接続部３１ｄを構成している。【選択図】      図１
2005216560.tif 000002
【特許請求の範囲】
【請求項１】
接点装置が収納された器体と、接点装置に電気的に接続され外部電線を接続する複数の端子と、器体の前面側に配設され接点装置の接点切換を行うための操作ハンドルと、接点装置の接点切換に関連して点灯する表示灯および表示灯に接続された一対の接続線を有し器体外に配置される表示灯ブロックとを備え、前記複数の端子のうち接続線が接続される端子に、外部電線を接続する外部電線接続部と接続線の末端側を接続する接続線接続部とを設けてなることを特徴とするスイッチ。
【請求項２】
前記表示灯ブロックは、前記表示灯を収納し前記接続線が導出される合成樹脂成形品のランプケースを備え、ランプケースは、前記器体とランプケースとの一方に設けた結合片に形成された結合孔と他方に設けた結合突起とを凹凸係合させることにより前記器体に結合されてなることを特徴とする請求項１記載のスイッチ。
【請求項３】
前記接点装置および前記複数の前記端子を１組とする端子装置および前記操作ハンドルおよび前記結合片を２つ１組とするケース取付部がそれぞれ３つずつ同一方向に並設され、前記器体には、前記同一方向において隣り合うケース取付部の互いに対向する前記結合片間に前記ランプケースが挿入されるのを防止する誤挿入防止リブが設けられてなることを特徴とする請求項２記載のスイッチ。
【請求項４】
前記ランプケースは、前記表示灯の一対のリードを隔絶する絶縁用リブが設けられてなることを特徴とする請求項２または請求項３記載のスイッチ。
【請求項５】
前記端子は、前記器体内に配置される端子板であって、前記器体に貫設した電線挿入孔を通して前記器体に導入された前記外部電線に弾接する接触片と、接触片に近づく向きに付勢され接触片との間に前記外部電線を挟持する鎖錠片と、接触片と鎖錠片とを連結する連結片とを有し、前記外部電線接続部が接触片と鎖錠片とで構成され、前記接続線接続部が連結片により構成されてなることを特徴とする請求項１ないし請求項４のいずれかに記載のスイッチ。
【請求項６】
前記表示灯ブロックは、前記各接続線それぞれの末端が電気的に接続され前記接続線接続部に弾接可能な接触子の一部をハウジング内に収納したコネクタ部が設けられ、前記器体には、前記接続線接続部に対応する位置にハウジングの弾性を利用してハウジングが差し込まれる差込凹部が設けられ、ハウジングの側面に突設した取付爪が差込凹部に連通する保持溝に凹凸結合されることを特徴とする請求項５記載のスイッチ。
【請求項７】
前記器体は、前記表示灯の光を外部へ出射する表示部が前記操作ハンドルに並設されてなることを特徴とする請求項１ないし請求項６のいずれかに記載のスイッチ。
【発明の詳細な説明】
【技術分野】
【０００１】
本発明は、スイッチに関するものである。
【背景技術】
【０００２】
従来から、スイッチやコンセントのような埋込型の配線器具において、外部電線を接続する端子としてピラー端子を備えたものが知られている（例えば、特許文献１参照）。
【０００３】
ここにおいて、ピラー端子を備えた単極双投型のスイッチ（いわゆる３路スイッチ）として、図１８に示すように、後側のボディ１１０と前側のカバー１２０とで３つの接点装置を収納する器体１００を構成し、器体１００の前面側（つまり、カバー１２０の前面側）に各接点装置の接点切換を行うための３つの操作ハンドル１６０を配設するとともに、各接点装置に接続された３個ずつのピラー端子１３０を器体１００の後面側（つまり、ボディ１１０の後面側）に設けたものが提案されている。ピラー端子１３０は、環状の端子枠１３１の周壁に貫設されたねじ孔（図示せず）に端子ねじ１３２を螺合したものであり、器体１００の後方から端子枠１３１の開口面を通して挿入される外部電線を端子枠１３１の周壁と端子ねじ１３２の先端面との間に挟持するようになっている。
【０００４】
図１８に示したスイッチを施工するに際しては、カバー１２０の左右両側部に設けた取付孔１２７に前方から挿入した取付ねじ（図示せず）を施工面に埋め込んだスイッチボックスに螺合させるか、上記取付ねじを施工面に直接螺合させる。なお、カバー１２０の前面側には操作ハンドル１６０を露出させる窓孔を備える化粧プレート１９０が装着される。
【０００５】
また、図１８に示したスイッチは、図１９に示すような表示灯ブロック１７０を備えている。表示灯ブロック１７０は、接点装置の接点切換に関連して点灯するネオンランプからなる表示灯１７１と、表示灯１７１に接続された一対の接続線１７５と、表示灯１７１の一部を収納したランプケース１７３とを備えている。一方、カバー１２０にはランプケース１７３が挿入されるケース挿入孔（図示せず）が形成されており、操作ハンドル１６０には表示灯１７１の光を外部へ出射する表示部が設けられている。ここにおいて、表示灯１７１に接続された上述の一対の接続線１７５の末端は、２つのピラー端子１３０にそれぞれ接続されている。
【０００６】
なお、埋込型の配線器具として用いるスイッチとしては、３路スイッチの他に、例えば、単極単投型のスイッチ（いわゆる片切りスイッチ）、２極単投型のスイッチ、いわゆる４路スイッチ（４端子のうちの２端子と残りの２端子とを一対一に接続する２つの接続関係が選択可能なスイッチ）などが知られている。
【特許文献１】特開２００３−２４９２８２号公報（段落番号〔００１５〕−〔００１８〕、図３参照）
【発明の開示】
【発明が解決しようとする課題】
【０００７】
ところで、図１８に示したスイッチでは、ピラー端子１３０に外部電線を接続する接続作業を行う際に表示灯ブロック１７０の接続線１７５が端子枠１３１から抜けないように接続線１７５を押えておく必要があり、外部電線の接続作業の作業性が良くなかった。なお、操作ハンドルの両端部を交互に押操作することにより接点切換を行う３路スイッチにおいては、操作ハンドル１６０の一端部を押操作したときに負荷がオンする場合とオフする場合とがあるので、操作ハンドル１６０の一端部に上記表示部が設けられていると表示灯による負荷の状態確認ができずに混乱してしまうことがある。
【０００８】
本発明は上記事由に鑑みて為されたものであり、その目的は、表示灯ブロックの接続線とは関係なく外部電線の接続作業を行うことができるスイッチを提供することにある。
【課題を解決するための手段】
【０００９】
請求項１の発明は、接点装置が収納された器体と、接点装置に電気的に接続され外部電線を接続する複数の端子と、器体の前面側に配設され接点装置の接点切換を行うための操作ハンドルと、接点装置の接点切換に関連して点灯する表示灯および表示灯に接続された一対の接続線を有し器体外に配置される表示灯ブロックとを備え、前記複数の端子のうち接続線が接続される端子に、外部電線を接続する外部電線接続部と接続線の末端側を接続する接続線接続部とを設けてなることを特徴とする。
【００１０】
この発明によれば、接続線が接続される端子に、外部電線を接続する外部電線接続部と接続線の末端側を接続する接続線接続部とが設けられていることにより、端子に外部電線を接続する際に、表示灯ブロックの接続線を押えておく必要がなく、表示灯ブロックの接続線とは関係なく外部電線の接続作業を行うことができるので、外部電線の接続作業が容易になる。
【００１１】
請求項２の発明は、請求項１の発明において、前記表示灯ブロックは、前記表示灯を収納し前記接続線が導出される合成樹脂成形品のランプケースを備え、ランプケースは、前記器体とランプケースとの一方に設けた結合片に形成された結合孔と他方に設けた結合突起とを凹凸係合させることにより前記器体に結合されてなることを特徴とする。
【００１２】
この発明によれば、前記表示灯ブロックにおいて前記表示灯を収納したランプケースを前記器体へ容易に着脱可能となり、組立作業が容易になる。
【００１３】
請求項３の発明は、請求項２の発明において、前記接点装置および前記複数の前記端子を１組とする端子装置および前記操作ハンドルおよび前記結合片を２つ１組とするケース取付部がそれぞれ３つずつ同一方向に並設され、前記器体には、前記同一方向において隣り合うケース取付部の互いに対向する前記結合片間に前記ランプケースが挿入されるのを防止する誤挿入防止リブが設けられてなることを特徴とする。
【００１４】
この発明によれば、前記器体の間違った位置に前記ランプケースが取り付けられるのを防止することができる。
【００１５】
請求項４の発明は、請求項２または請求項３の発明において、前記ランプケースは、前記表示灯の一対のリードを隔絶する絶縁用リブが設けられてなることを特徴とする。
【００１６】
この発明によれば、前記表示灯の一対のリード間の絶縁距離を容易に確保することができる。
【００１７】
請求項５の発明は、請求項１ないし請求項４の発明において、前記端子は、前記器体内に配置される端子板であって、前記器体に貫設した電線挿入孔を通して前記器体に導入された前記外部電線に弾接する接触片と、接触片に近づく向きに付勢され接触片との間に前記外部電線を挟持する鎖錠片と、接触片と鎖錠片とを連結する連結片とを有し、前記外部電線接続部が接触片と鎖錠片とで構成され、前記接続線接続部が連結片により構成されてなることを特徴とする。
【００１８】
この発明によれば、前記接続線接続部が接触片および鎖錠片に比べて変形しにくくできる連結片により構成されているので、前記接続線の末端側を安定して接続することが可能となる。
【００１９】
請求項６の発明は、請求項５の発明において、前記表示灯ブロックは、前記各接続線それぞれの末端が電気的に接続され前記接続線接続部に弾接可能な接触子の一部をハウジング内に収納したコネクタ部が設けられ、前記器体には、前記接続線接続部に対応する位置にハウジングの弾性を利用してハウジングが差し込まれる差込凹部が設けられ、ハウジングの側面に突設した取付爪が差込凹部に連通する保持溝に凹凸結合されることを特徴とする。
【００２０】
この発明によれば、差込凹部へコネクタ部のハウジングを容易に差し込むことができ、差込凹部へコネクタ部のハウジングを差し込むことにより接触子が前記接続線接続部に弾接して前記接続線の末端側が前記接続線接続部に接続されることになるので、前記接続線接続部への接続作業が容易になる。
【００２１】
請求項７の発明は、請求項１ないし請求項６の発明において、前記器体は、前記表示灯の光を外部へ出射する表示部が前記操作ハンドルに並設されてなることを特徴とする。
【００２２】
この発明によれば、前記操作ハンドルの操作位置に関わらず表示部を通して前記表示灯の状態を視認することができる。
【発明の効果】
【００２３】
請求項１の発明では、端子に外部電線を接続する際に、表示灯ブロックの接続線を押えておく必要がなく、表示灯ブロックの接続線とは関係なく外部電線の接続作業を行うことができるので、外部電線の接続作業が容易になるという効果がある。
【発明を実施するための最良の形態】
【００２４】
（実施形態１）
以下、本実施形態のスイッチについて図１〜図１５を参照しながら説明する。
【００２５】
本実施形態のスイッチは、前面（図４の上面）が開口した直方体状の合成樹脂成形品のボディ１０と、ボディ１０の前面側に結合される合成樹脂成形品のカバー２０とにより構成される器体１を備える。なお、ボディ１０の上下方向における両外側面にはボディ１０の左右方向に離間する４つずつの組立爪１１ａ，１１ｂが突設され、カバー２０の後面からは組立爪１１ｂが係合可能な係止爪（図示せず）と、組立爪１１ａが係合可能な組立孔２１ａが形成された組立片２１とが突設されている。
【００２６】
ボディ１０の内部空間は、左右方向に離間して形成した２つの絶縁壁１２により３つの単位ユニット室１３に区画されており、各単位ユニット室１３には、ボディ１０の後壁に設けた電線挿入孔１５（図７および図１１（ａ）参照）を通して器体１に挿入される外部電線５を接続する３個の端子板３１，３２，３３と、接点装置４０とが収納される。ここにおいて、各単位ユニット室１３の内部空間はボディ１０の上下方向に離間して形成された２つの仕切壁１４により３室に区画されており、上側の区画が端子板３１，３２を収納する端子収納室１３ａ、下側の区画が端子板３３を収納する端子収納室１３ｂ、中央部が接点装置４０を収納する中央収納室１３ｃとなっている。なお、本実施形態では、各端子板３１，３２，３３それぞれが外部電線５を接続する端子を構成している。
【００２７】
一方、カバー２０は、後述の操作ハンドル６０の揺動空間を確保するために上下方向の中央部の前面が上下両端部の前面に比べて後退し、左右両側部における上下方向の中央部には、壁面などの施工面に埋込配置されたスイッチボックス（埋込ボックス）の開口側に設けた取付舌片に螺合する取付ねじを挿通するための長孔状の取付孔２７が形成されている。また、カバー２０の前面側には、合成樹脂成形品からなる矩形枠状の化粧プレート９０が着脱自在に装着され、操作ハンドル６０は化粧プレート９０の矩形状の窓孔９１内に配置される。ここにおいて、操作ハンドル６０は窓孔９１の大部分を３個で覆う程度の大きさに形成されている。すなわち、操作ハンドル６０は左右方向の寸法が窓孔９１の左右方向の寸法の略３分の１の寸法に形成され、上下方向の寸法が窓孔９１の上下方向の寸法よりもやや小さな寸法に形成されている。また、カバー２０の四隅近傍には化粧プレート９０の後面から突設された係止片９２（図９参照）が挿入される係止孔２６が設けてある。なお、本実施形態のスイッチを施工面に直付けする際には、取付孔２７に挿入した上記取付ねじを施工面に螺合させればよい。
【００２８】
また、カバー２０は、両取付孔２７の間の部位における前面に凹部２２が形成されており、凹部２２の底壁には３つの開口窓２３が左右方向に離間して形成されている。開口窓２３には合成樹脂成形品の反転ハンドル５０がカバー２０に対して揺動自在に枢支された形で装着され、この反転ハンドル５０の揺動に伴って接点装置４０が開閉される。反転ハンドル５０は、斜め前方に配置され操作ハンドル６０が結合される結合用ハンドル５４が段差片５３を介して連続一体に形成されており、結合用ハンドル５４の前面側にはカバー２０の前面に重複する合成樹脂成形品の操作ハンドル６０が結合され、操作ハンドル６０を操作部として揺動させることにより、反転ハンドル５０が揺動して接点装置４０の接点切換が行われるようにしてある。なお、結合用ハンドル５４はカバー２０の上下方向における寸法が反転ハンドル５０の寸法よりも大きくなっている。
【００２９】
端子収納室１３ａに収納される端子板３１，３２は、導電性の金属板により形成され、電線挿入孔１５を通して器体１に導入された外部電線５に弾接する接触片３１ａ，３２ａと、接触片３１ａ，３２ａに近づく向きに付勢され接触片３１ａ，３２ａとの間に外部電線５を挟持する鎖錠片３１ｂ，３２ｂと、接触片３１ａ，３２ａと鎖錠片３１ｂ，３２ｂとを連続一体に連結する連結片３１ｃ，３２ｃとを有している。ここにおいて、端子板３１，３２は、連結片３１ｃ，３２ｃがＬ字状に形成されており、連結片３１ｃ，３２ｃが仕切壁１４とボディ１０の開口面とに沿って配置されるように端子収納室１３ａに収納され、仕切壁１４と仕切壁１４に対向するボディ１０の内側面との間に保持される。なお、端子板３１，３２は、帯状の金属板をＬ字状に曲成し、さらに一端部をＳ字状に曲成して接触片３１ａ，３２ａを形成し、他端部をＪ字状に曲成して鎖錠片３１ｂ，３２ｂを形成してある。
【００３０】
また、端子収納室１３ｂに収納される端子板３３は、導電性の金属板により形成され、電線挿入孔１５を通して器体１に導入された外部電線５に弾接する２つの接触片３３ａと、各接触片３３ａそれぞれに近づく向きに付勢され各接触片３３ａとの間にそれぞれ外部電線５を挟持する２つの鎖錠片３３ｂと、２つの接触片３３ａと２つの鎖錠片３３ｂとを連結する１つの連結片３３ｃとを有している。ここにおいて、端子板３３は、連結片３３ｃがＬ字状に形成されており、連結片３３が仕切壁１４とボディ１０の開口面とに沿って配置されるように端子収納室１３ｂに収納され、仕切壁１４と仕切壁１４に対向するボディ１０の内側面との間に保持される。なお、端子板３３は、長手方向の両端部にスリットが形成された帯状の金属板をＬ字状に曲成し、さらに一端部をＳ字状に曲成して２つの接触片３３ａを形成し、他端部をＪ字状に曲成して２つの鎖錠片３３ｂを形成してある。
【００３１】
電線挿入孔１５は、ボディ１０の後壁において端子板３１，３２，３３の接触片３１ａ，３２ａ，３３ａと鎖錠片３１ｂ，３２ｂ，３３ｂとの間に対応する部位に形成され（つまり、電線挿入孔１５は、各端子収納室１３ａ，１３ｂそれぞれの後壁に２つずつ形成されている）、電線挿入孔１５を通して器体１に外部電線５を挿入すると、外部電線５の先端部が接触片３１ａ，３２ａ，３３ａと鎖錠片３１ｂ，３２ｂ，３３ｂとの間に挟持され、外部電線５が接触片３１ａ，３２ａ，３３ａに接触して端子板３１，３２，３３と外部電線５とが電気的に接続されるとともに、鎖錠片３１ｂ，３２ｂ，３３ｂの先端縁が外部電線５に食い込むことによって外部電線５が器体１から抜けないように機械的に保持される。ここに、外部電線５は絶縁被覆電線であって器体１に挿入する部位は芯線５ｂが露出するように絶縁被覆が除去される。したがって、接触片３１ａ，３２ａ，３３ａと鎖錠片３１ｂ，３２ｂ，３３ｂとの間に外部電線５が挟持されるとは実際には芯線５ｂが挟持されることを意味する。ここにおいて、端子板３１，３２，３３それぞれからなる各端子は、速結端子を構成している。
【００３２】
また、各端子収納室１３ａ，１３ｂには、電線解除用の解除体３４が１個ずつ収納される。端子収納室１３ａに収納される解除体３４は、各端子板３１，３２に設けた鎖錠片３１ｂ，３２ｂの間に配置される。ここに、端子収納室１３ａに収納される解除体３４は、各鎖錠片３１ｂ，３２ｂの後面側にそれぞれ当接する押し片３４ａが左右両側面それぞれから突出するとともに、電線解除用の操作レバー３４ｂが斜め後方へ連続一体に突出する形状を有する。一方、端子収納室１３ｂに収納される解除体３４は、端子板３３に設けた２つの鎖錠片３３ｂ，３３ｂの間に配置される。ここに、端子収納室１３ｂに収納される解除体３４は、各鎖錠片３３ｂの後面側にそれぞれ当接する押し片３４ａが左右両側面それぞれから突出するとともに、電線解除用の操作レバー３４ｂが斜め後方へ連続一体に突出する形状を有する。
【００３３】
ボディ１０は、上下両側壁において解除体３４に対応する部位に、前端縁側が開放された操作用スリット１６が形成されており、操作レバー３４ｂが操作用スリット１６を通してボディ１０の上下へ露出している。解除体３４は、器体１０内で回動自在に保持されており、操作レバー３４ｂの先端部を前方へ動かすと解除体３４が回動し、鎖錠片３１ｂ，３２ｂ，３３ｂが押し片３４ａから押圧力を受けることにより接触片３１ａ，３２ａ，３３ａから離れる向きに撓むようにしてある。したがって、上述のようにして端子板３１，３２，３３に外部電線５を接続した状態で操作レバー３４ｂを前方へ操作すれば、鎖錠片３１ｂ，３２ｂ，３３ｂが外部電線５から離れるように撓んで外部電線５の機械的保持が解除され、外部電線５を器体１から引き抜くことが可能になる。
【００３４】
上述の接点装置４０は、それぞれ中央収納室１３ｃ内に配置される一端部に固定接点４１ａ，４１ｂを設けた２つの接点保持片４５，４６および後述の板状の導電板からなる開閉素子４３を備え、各接点保持片４５，４６それぞれの他端部が端子板３１，３２の連結片３１ｃにおいてボディ１０の開口面に沿って配置される部位の前面に重ねてかしめ固定されている。接点保持片４５，４６の一端部は互いに対向するように配置され、固定接点４１ａ，４１ｂは対向する。また、開閉素子４３は厚み方向の両面に可動接点４２ａ，４２ｂを備え、開閉素子４３の回動に伴って各固定接点４１ａ，４１ｂに各可動接点４２ａ，４２ｂが選択的に接触するようにしてある。つまり、固定接点４１ａに可動接点４２ａが接触している間は可動接点４２ｂが固定接点４１ｂから離れ、固定接点４１ｂに可動接点４２ｂが接触している間は可動接点４２ａが固定接点４１ａから離れる。
【００３５】
また、接点装置４０は、端子板３３の連結片３３ｃにおいてボディ１０の開口面に沿って配置される部位の前面にかしめ固定される接続片４７を備え、接続片４７における中央収納室１３ｃ側の端縁から後方に向かって延設された連絡片４８の後端縁からボディ１０の内底面に沿う形で支持片４９が延設され、支持片４９の先端部には前面開放された断面Ｖ字状の支点用溝（図示せず）が支持片４９の延長方向に直交する形で形成されている。ここにおいて、接点装置４０は、上述の開閉素子４３の後端縁が支持片４９に設けた上記支点用溝に挿入され、上記支点用溝を中心として開閉素子４３が回動可能になっている。ボディ１０における各単位ユニット室１３それぞれの中央収納室１３ｃの内底面には、開閉素子４３を保持する一対の保持壁１９が前方へ突設されており、両保持壁１９の互いの対向面には、開閉素子４３の側縁に突設された突片４３ａが挿入可能なＶ字状の回動規制溝１９ａが形成されているので、上記回動規制溝１９ａによって開閉素子４３の回動範囲が規制される。開閉素子４３と反転ハンドル５０との間にはコイルスプリングからなる反転ばね４４が保持されており、開閉素子４３の前端部には反転ばね４４の一端部内に挿入されるばね座片４３ｂが突設される。
【００３６】
反転ばね４４の他端部は反転ハンドル５０の後面側に設けた筒部５１に挿入される。器体１の左右方向における反転ハンドル５０の両側面には支点突起５２が突設され、各支点突起５２は前端部が先細りとなる形状に形成されている。カバー２０に形成した上述の凹部２２の底壁において各開口窓２３の左右両側部には開口窓２３の周縁から前方に突出する一対の軸受突片２４が突設され、両軸受突片２４の対向面には反転ハンドル５０の支点突起５２が挿入される軸受凹所２５が形成されている。軸受凹所２５は少なくとも前端部において支点突起５２を揺動可能に枢支する。
【００３７】
上述の結合用ハンドル５４の長手方向の両端面には、操作ハンドル６０の後面から突設された結合脚６１（図７参照）の先端部（後端部）に設けた結合爪６１ａを係止する係合爪５４ａが突設され、結合用ハンドル５４の長手方向の中央部には、操作ハンドル６０の後面から突設されたリブ６３（図１０参照）が挿入されるスリット５４ｂが形成されている。一方、操作ハンドル６０の後面には結合用ハンドル５４の前面に当接する当てリブ６２が突設されている。したがって、結合用ハンドル５４に操作ハンドル６０をがたつきなく取り付けることができるようになっている。なお、結合用ハンドル５４は揺動時においてカバー２０の凹部２２の内底面に干渉しないように形成されている。
【００３８】
さらに、カバー２０の上下方向の一端部には後述する表示灯ブロック７０の表示灯７１からの光を透過させるための３つの透孔２８が左右方向に離間して形成されており、カバー２０の前面側には各透孔２８それぞれに後部が挿入される３つのレンズ部８１を一体に備える帯状のレンズブロック８０が装着される。したがって、位置表示灯７１からの光はレンズ部８１を通して外部へ導光される。ここにおいて、レンズブロック８０は操作ハンドル６０の上側に位置し、化粧プレート９０の窓孔９１の内周面と操作ハンドル６０の外周面との間に位置する。なお、本実施形態では、レンズ部８１が表示灯７１の光を外部へ出射する表示部を構成しており、器体１の上下方向において表示部たるレンズ部８１が操作ハンドル６０に並設されているので、操作ハンドル６０の操作位置（上端部、下端部）に関わらず表示部を通して表示灯７１の状態を視認することができる。
【００３９】
ところで、上述の表示灯ブロック７０は、器体１外に配置されるものであり、接点装置４０の接点切換に関連して点灯するネオンランプからなる表示灯７１と、表示灯７１の一対のリード７１ａに接続された一対の接続線７５と、一方のリード７１ａと一方の接続線７５との間に挿入された限流用の抵抗７２と、位置表示灯７１および抵抗７２が収納され上述の一対の接続線７５が導出された合成樹脂成形品のランプケース７３と、各接続線７５それぞれの末端が電気的に接続され上述の端子板３１，３２の連結片３１ｃ，３２ｃに弾接可能な接触子７７の一部を合成樹脂成形品のハウジング７６ａ内に収納したコネクタ部７６とを備えている。ここにおいて、ランプケース７３の内部には、表示灯７１の一対のリード７１ａを隔絶する絶縁用リブ７３ａが内面から連続一体に突設されているので、別部材を用いることなく表示灯７１の一対のリード７１ａ間の絶縁距離を容易に確保することができる。なお、本実施形態では、上述の３つの端子板３１，３２，３３のうちの２つの端子板３１，３２が接続線７５の末端側が接続される端子を構成しており、端子板３１，３２は、接触片３１ａ，３２ａと鎖錠片３１ｂ，３２ｂとで外部電線５を接続する外部電線接続部を構成し、連結片３１ｃ，３２ｃにおいて仕切壁１４に沿って配置される部位の後端部が接続線７５の末端側を接続する接続線接続部３１ｄ，３２ｄを構成している。しかして、本実施形態では、それぞれ接続線７５が接続される端子たる端子板３１，３２に、外部電線５を接続する外部電線接続部と接続線７５の末端側を接続する接続線接続部３１ｄ，３２ｄとが設けられていることにより、端子板３１，３２に外部電線５を接続する際に、表示灯ブロック７０の接続線７５を押えておく必要がなく、表示灯ブロック７０の接続線７５とは関係なく外部電線５の接続作業を行うことができるので、外部電線５の接続作業が容易になる。また、各接続線接続部３１ｄ，３２ｄが接触片３１ａ，３２ａおよび鎖錠片３１ｂ，３２ｂに比べて変形しにくい連結片３１ｃ，３２ｃの一部により構成されているので、各接続線７５の末端側に設けたコネクタ部７６の接触子７７を安定して接続線接続部３１ｄ，３２ｄに接触させて電気的に接続することが可能となる。
【００４０】
ところで、ランプケース７３の左右両側壁には、前端が開放された前後方向の２本の切り込み溝７３ｂが形成され、両切り込み溝７３ｂの間の部位は厚み方向に可撓性を有する撓み片７３ｃを形成し、撓み片７３ｃの前端部外側面には、カバー２０の後面から突設された各一対の結合片２９ａからなるケース結合部２９の各結合片２９ａに設けた結合孔２９ｂに凹凸係合する結合突起７３ｄが突設されている。したがって、ランプケース７３は、撓み片７３ｃの弾性を利用して結合片２９に設けた結合孔２９ａに結合突起７３ｄを凹凸係合させることによって、器体１のカバー２０に結合されるようにしてある。この状態において表示灯７１は上述のレンズ部８１の後端縁に対向するように位置する。なお、本実施形態では、接点装置４０および３つの端子板３１，３２，３３を１組とする端子装置および操作ハンドル６０および結合片２９ａを２つ１組とするケース取付部２９がそれぞれ３つずつ同一方向（器体１の左右方向）に並設され、器体１には、上記同一方向において隣り合うケース取付部２９の互いに対向する結合片２９ａ間にランプケース７３が挿入されるのを防止する誤挿入防止リブ２９ｃ（図１３参照）が設けられているので、器体１の間違った位置にランプケース７３が取り付けられるのを防止することができる。また、ランプケース７３における結合突起７３ｄは前端側ほど撓み片７３ｃの外側面からの突出量を小さくする傾斜面が形成されているので、結合突起７３ｄを結合片２９ａの結合孔２９ｂに容易に係合させることができる。また、本実施形態では、カバー２０の結合片２９ａに設けた結合孔２９ｂとランプケース７３に設けた結合突起７３ｄとを凹凸係合させているが、カバー２０の結合片２９ａに結合突起を設けてランプケース７３に結合孔を設けることで凹凸係合させてもよい。
【００４１】
また、コネクタ部７６における接触子７７は、ハウジング７６ａから突出した部分の先端部がＪ字状に曲成されており、端子板３１，３２の連結片３１ｃ，３２ｃにおいて仕切壁１４に沿って配置された部分の厚み方向で鎖錠片３１ｂ，３２ｂ側とは反対側の面に弾接可能となっている。
【００４２】
また、本実施形態におけるボディ１０の後面には、接続線接続部３１ｄ，３２ｄそれぞれに対応する位置にコネクタ部７６のハウジング７６ａの弾性を利用してハウジング７６ａが差し込まれる差込凹部１０ａが設けられ、ハウジング７６ａの側面に突設した取付爪７６ｂが差込凹部１０ａに連通する保持溝１０ｂに凹凸結合されるようになっている。したがって、差込凹部１０ａへコネクタ部７６のハウジング７６ａを容易に差し込むことができ、差込凹部１０ａへコネクタ部７６のハウジング７６ａを差し込むことにより接触子７７が接続線接続部３１ｄ，３２ｄに弾接して接続線７５の末端側が接続線接続部３１ｄ，３２ｄに接続されることになるので、接続線接続部３１ｄ，３２ｄへの接続作業が容易になる。
【００４３】
上述のようにして各コネクタ部７６を器体１の後方から端子板３１，３２に接続することにより、両固定接点４１ａ，４１ｂの間に表示灯７１と抵抗７２との直列回路を挿入ことが可能となる。３路スイッチは階段灯の点灯・消灯に用いられることが多く、階上と階下とにそれぞれ本実施形態の３路スイッチを配置して階段灯の点灯・消灯とを階上と階下とのいずれにおいても操作可能とすることができる。この種の回路の接続関係は周知であるから説明を省略する。
【００４４】
（実施形態２）
以下、本実施形態のスイッチについて図１６および図１７を参照しながら説明する。
【００４５】
本実施形態のスイッチの基本構成は実施形態１と略同じであり、ボディ１０の左右方向の寸法が実施形態１におけるボディ１０の略３分の１であり、接点装置４０、端子板３１，３２，３３、反転ハンドル５０、復帰ばね４４、操作ハンドル６０、表示ブロック７０などを１つずつしか備えていない点などが相違する。一方、本実施形態における操作ハンドル６０は、左右方向の寸法が実施形態１における操作ハンドル６０の左右方向の寸法の略３倍の寸法に形成されており、１個で化粧プレート９０の窓孔９１の大部分を覆うようになっている。他の構成は実施形態１と同様である。なお、図１６および図１７において実施形態１と同様の構成要素には同一の符号を付してある。
【００４６】
上記各実施形態では、スイッチとして３路スイッチについて例示したが、本発明の技術思想は３路スイッチに限定されるものではなく、例えば片切り型のスイッチなどへも適用でき、また、接点装置４０の接点切換と表示灯７１の状態変化との関係も特に限定されるものではない。
【図面の簡単な説明】
【００４７】
【図１】実施形態１を示し、外部電線を接続した状態の要部断面図である。
【図２】同上を示す要部断面図である。
【図３】同上を示し、（ａ）は要部断面図、（ｂ）は（ａ）の要部Ａの拡大図である。
【図４】同上を示す分解斜視図である。
【図５】同上を示す正面図である。
【図６】同上を示す側面図である。
【図７】同上を示す断面図である。
【図８】同上を示す断面図である。
【図９】同上を示す斜視図である。
【図１０】同上を示す断面図である。
【図１１】同上を示し、（ａ），（ｂ）いずれも要部断面図である。
【図１２】同上においてカバーなどを取り外した状態の要部正面図である。
【図１３】同上におけるカバーの背面図である。
【図１４】同上における表示ブロックの一部断面図である。
【図１５】同上における２つの端子板の斜視図である。
【図１６】実施形態２を示す分解斜視図である。
【図１７】同上を示す正面図である。
【図１８】従来例を示し、（ａ）は背面図、（ｂ）は側面図である。
【図１９】同上に用いる表示ブロックの平面図である。
【符号の説明】
【００４８】
１  器体
５  外部電線
１０  ボディ
１４  仕切壁
２０  カバー
３１，３２，３３  端子板
３１ａ，３２ａ，３３ａ  接触片
３１ｂ，３２ｂ，３３ｂ  鎖錠片
３１ｃ，３２ｃ，３３ｃ  連結片
３１ｄ，３２ｄ  接続線接続部
７０  表示灯ブロック
７１  表示灯
７３  ランプケース
７５  接続線
７６  コネクタ部
７７  接触子
８１  レンズ部
９０  化粧プレート
【図１】
2005216560.tif 000003
【図２】
2005216560.tif 000004
【図３】
2005216560.tif 000005
【図４】
2005216560.tif 000006
【図５】
2005216560.tif 000007
【図６】
2005216560.tif 000008
【図７】
2005216560.tif 000009
【図８】
2005216560.tif 000010
【図９】
2005216560.tif 000011
【図１０】
2005216560.tif 000012
【図１１】
2005216560.tif 000013
【図１２】
2005216560.tif 000014
【図１３】
2005216560.tif 000015
【図１４】
2005216560.tif 000016
【図１５】
2005216560.tif 000017
【図１６】
2005216560.tif 000018
【図１７】
2005216560.tif 000019
【図１８】
2005216560.tif 000020
【図１９】
2005216560.tif 000021